(57)【特許請求の範囲】
【請求項１】
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記接着部材の厚みは、上層の前記基材シートに接合された前記繊維集合体が下方の前記基材シートと接触することのない程度の厚みであることを特徴とする清掃用シート。
【請求項２】
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記基材シートの上面の長手方向中央部には、短手方向に長尺なシート部材が貼り付けられて設けられていることを特徴とする清掃用シート。
【請求項３】
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記粘着面を構成する粘着シートが上下方向に複数積層されてなることを特徴とする清掃用シート。
【請求項４】
前記粘着シートの各々の端部には、上下方向に重ならないように第２突出部が設けられていることを特徴とする請求項３に記載の清掃用シート。
【請求項５】
前記基材シートの上面の長手方向中央部には、複数のエンボスが短手方向に列状に配置されていることを特徴とする請求項３又は４に記載の清掃用シート。
【請求項６】
前記基材シートの上面の長手方向両端部には、長手方向中央側から手指を挿入可能な開口を有するポケット部が形成されていることを特徴とする請求項２〜５のいずれか一項に記載の清掃用シート。
【請求項７】
前記基材シートの各々の端部には、上下方向に重ならないように第１突出部が設けられていることを特徴とする請求項２〜６のいずれか一項に記載の清掃用シート。
【発明の詳細な説明】
【技術分野】
【０００１】
本発明は、掃除具に装着される清掃用シートに関する。
【背景技術】
【０００２】
従来、清掃用シートを装着可能なヘッド部に、使用者が握るための柄を連結させ、床面の汚れや埃などを払拭して除去することができるようにした掃除具が知られている。このタイプの掃除具において、清掃用シートは、例えば、ヘッド部上面の四隅に設けられた保持部に保持されることにより、ヘッド部に取り付けられるようになっている（例えば、特許文献１，２参照）。
【先行技術文献】
【特許文献】
【０００３】
【特許文献１】特開２００８−２７２１４７号公報
【特許文献２】特許第４０７３２６７号公報
【発明の概要】
【発明が解決しようとする課題】
【０００４】
しかしながら、使用者が上記掃除具を用いて清掃作業を行っている最中に、ヘッド部から清掃用シートが外れてしまうことがあり、そのような場合、使用者により再度清掃用シートを保持部に取り付ける作業を行う必要があるため、余計な手間が生じていた。
また、一通り清掃作業を終えると清掃用シートが汚れてしまうため、汚れた清掃用シートを保持部から外して、新しい清掃用シートに付け替える必要があり、手間が生じていた。
【０００５】
本発明は、掃除具への装着が容易で、かつシート交換が容易な清掃用シートを提供することを目的とする。
【課題を解決するための手段】
【０００６】
請求項１に記載の発明は、上記目的を達成するためになされたものであり、
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記接着部材の厚みは、上層の前記基材シートに接合された前記繊維集合体が下方の前記基材シートと接触することのない程度の厚みであることを特徴とする。
請求項２に記載の発明は、
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記基材シートの上面の長手方向中央部には、短手方向に長尺なシート部材が貼り付けられて設けられていることを特徴とする。
請求項３に記載の発明は、
基材シートと、前記基材シートの下面に接合され、繊維が集合してなる繊維集合体と、を備え、掃除具に装着される清掃用シートにおいて、
前記基材シート及び前記繊維集合体の組が上下方向に複数積層され、
前記複数積層された組のうち最上層の前記基材シートの上面には、前記掃除具の底面部に貼着可能な粘着面が形成され、
他の前記基材シートの上面には、長手方向両端部に、上層の前記基材シートと剥離可能に接着させるための接着部材が設けられ、
前記粘着面を構成する粘着シートが上下方向に複数積層されてなることを特徴とする。
請求項４に記載の発明は、請求項３に記載の清掃用シートにおいて、
前記粘着シートの各々の端部には、上下方向に重ならないように第２突出部が設けられていることを特徴とする。
【０００７】
請求項５に記載の発明は、請求項３又は４に記載の清掃用シートにおいて、
前記基材シートの上面の長手方向中央部には、複数のエンボスが短手方向に列状に配置されていることを特徴とする。
【０００９】
請求項６に記載の発明は、請求項２〜５のいずれか一項に記載の清掃用シートにおいて、
前記基材シートの上面の長手方向両端部には、長手方向中央側から手指を挿入可能な開口を有するポケット部が形成されていることを特徴とする。
【００１０】
請求項７に記載の発明は、請求項２〜６のいずれか一項に記載の清掃用シートにおいて、
前記基材シートの各々の端部には、上下方向に重ならないように第１突出部が設けられていることを特徴とする。
【発明の効果】
【００１３】
本発明によれば、基材シート及び繊維集合体の組が上下方向に複数積層され、複数積層された組のうち最上層の基材シートの上面には、掃除具に貼着可能な粘着面が形成されているので、掃除具の底面部に粘着面を貼着させるという簡易な作業で掃除具への装着を行うことができる。
また、他の基材シートの上面には、長手方向両端部に、上層の基材シートと剥離可能に接着させるための接着部材が設けられているので、最下層の基材シートを剥離するという簡易な作業で未使用の基材シート及び繊維集合体を新たに表出させることができることとなって、シートの交換を容易に行うことができる。
【図面の簡単な説明】
【００１４】
【図１】本実施形態に係る清掃用シートを掃除具に装着した状態の一例を示す外観側面図である。
【図２】図１の状態から清掃用シートを一枚剥がしている状態の一例を示す外観側面図である。
【図３】剥がした清掃用シートで残ったゴミを捕集する動作を説明するための図である。
【図４】本実施形態に係る清掃用シートの変形例１について示した図である。
【図５】本実施形態に係る清掃用シートの変形例２について示した図である。
【図６】本実施形態に係る清掃用シートの変形例３について示した図である。
【図７】本実施形態に係る清掃用シートの変形例４について示した図である。
【図８】清掃用シートの粘着面の変形例について示した図である。
【発明を実施するための形態】
【００１５】
以下、本発明の実施の形態を図面に基づいて説明する。
【００１６】
図１に示すように、本実施形態に係る清掃用シート１０は、掃除具２０に装着されて使用されるようになっている。具体的には、清掃用シート１０は、使用者が掃除具２０を操作するために握る柄２１が連結されたヘッド部２２の底面部２２ａに貼着されることにより、掃除具２０に装着されるようになっている。
なお、以下の説明では、清掃用シート１０において、長手方向一端側を左側、他端側を右側とし、短手方向一端側を前側、他端側を後側とし、前後方向及び左右方向の双方に直交する方向を上下方向とする。
【００１７】
清掃用シート１０は、基材シート１１と、基材シート１１の一方の面（図１では下面）に接合され、繊維が集合してなる繊維集合体１２と、を一組として、これらが上下方向に複数組積層された構成となっている。例えば、図１に示す例では、基材シート１１及び繊維集合体１２が三組積層された構成となっている。
そして、清掃用シート１０は、最下層の基材シート１１に接合された繊維集合体１２により床の汚れや埃などを絡め取ることによって、当該床の汚れや埃などを除去するようになっている。
【００１８】
基材シート１１は、長手方向（左右方向）に長尺な矩形状を成している。基材シート１１は、所定の繊維を繊維素材として、例えば、スパンレース、エアスルー、エアレイド、ポイントボンド、スパンボンド、ニードルパンチ等の周知の技術により製造される不織布である。
所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００１９】
ここで、最上層の基材シート１１は、繊維集合体１２で覆われていない面（図１では上面）の全面又は所定の部分が粘着性の材質で構成された粘着面１１ａとなっており、この粘着面１１ａを介して、掃除具２０（ヘッド部２２の底面部２２ａ）に貼着されるようになっている。なお、粘着面１１ａは、底面部２２ａと容易に剥離可能な程度の粘着力を有している。従って、最上層の基材シート１１及び繊維集合体１２まで使用した場合に、最上層の基材シート１１を容易に剥離することができるので、清掃用シート１０の付け替えを容易に行うことができる。
【００２０】
また、最上層以外の他の基材シート１１は、繊維集合体１２で覆われていない面（図１では上面）の長手方向両端部（左端部及び右端部）に、上層の基材シート１１と接着させるための接着部材１３，１３が設けられている。ここで、接着部材１３，１３は、その下面において基材シート１１と剥離不能な程度に接着されているのに対し、その上面においては上層の基材シート１１と容易に剥離可能な程度に接着されている。即ち、使用者が最下層の基材シート１１を剥離する際、その基材シート１１の上面に接着された接着部材１３，１３が上層の基材シート１１から剥離されることとなる（図２参照）。
なお、接着部材１３，１３の厚みは、上層の基材シート１１に接合された繊維集合体１２が下方の基材シート１１と接触することのない程度の厚みであることが好ましい。そのため、例えば、接着部材１３，１３の下面と基材シート１１との間にスポンジ状の部材を設けるようにしてもよい。
【００２１】
繊維集合体１２は、所定の繊維が所定の接合手段により基材シート１１に接合されることによって、形成されている。
所定の接合手段としては、例えば、ホットメルト等の公知の接着剤、ヒートシール、超音波シール、縫製、ステープラ、植毛が挙げられる。これらは単独で、或いは２種以上を組み合わせて用いることができる。
所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００２２】
次に、清掃用シート１０の使用方法について説明する。
まず、清掃用シート１０を掃除具２０に装着する。具体的には、掃除具２０のヘッド部２２の底面部２２ａに、最上層の基材シート１１の上面に形成された粘着面１１ａを貼着することにより、清掃用シート１０を掃除具２０に装着する。
そして、使用者は、清掃用シート１０が装着された掃除具２０の柄２１を握り、最下層の基材シート１１に接合された繊維集合体１２で床面の汚れや埃などを払拭して除去する。
【００２３】
一通り清掃作業を終えると、最下層の基材シート１１及び繊維集合体１２が汚れるので、使用者は、図２に示すように、最下層の基材シート１１を剥離することにより、未使用の基材シート１１及び繊維集合体１２を新たに表出させる。この表出された基材シート１１及び繊維集合体１２により、新たに清掃作業を行うことが可能となる。
【００２４】
また、使用者は、図３に示すように、剥離された基材シート１１を上面側から折り畳むような形で掴み取ることにより、繊維集合体１２で捕り切れなかったゴミを捕集することができる。このとき、使用者は、汚れた面に触れることなくゴミの捕集を行うことができるので、手を汚すことなく快適に作業を行うことができる。
或いは、基材シート１１の上面に設けられた接着部材１３，１３の上面の粘着力を利用して、ゴミを捕集することもできる。
【００２５】
以上のように、本実施形態に係る清掃用シート１０によれば、基材シート１１及び繊維集合体１２の組が上下方向に複数積層され、複数積層された組のうち最上層の基材シート１１の上面には、掃除具２０（ヘッド部２２）の底面部２２ａに貼着可能な粘着面１１ａが形成されているので、掃除具２０の底面部２２ａに粘着面１１ａを貼着させるという簡易な作業で掃除具２０への装着を行うことができる。
また、他の基材シート１１の上面には、長手方向両端部に、上層の基材シート１１と剥離可能に接着させるための接着部材１３，１３が設けられているので、最下層の基材シート１１を剥離するという簡易な作業で未使用の基材シート１１及び繊維集合体１２を新たに表出させることができることとなって、シートの交換を容易に行うことができる。
【００２６】
以上、本発明に係る実施形態に基づいて具体的に説明したが、本発明は上記実施形態に限定されるものではなく、その要旨を逸脱しない範囲で変更可能である。なお、説明の簡略化のため、実施形態と同様の構成については、同一の符号を付して、その詳細な説明を省略する。
【００２７】
＜変形例１＞
例えば、図４に示す例では、基材シート１１の上面の長手方向（左右方向）中央部に、複数のエンボス１４、…を短手方向（前後方向）に一列に配置させるようにしている。なお、図４では、エンボス１４、…を一列に配置させる構成を例示して説明したが、これに限定されるものではなく、例えば、エンボス１４、…を二列に配置させるようにしてもよい。
このように、変形例１に係る清掃用シート１０によれば、基材シート１１の上面の長手方向中央部には、複数のエンボス１４、…が短手方向に列状に配置されているので、使用者が剥離された基材シート１１を上面側から掴み取る際に、複数のエンボス１４、…が折り目の役割を果たすため、基材シート１１を容易に掴み取ることができることとなって、清掃作業を容易にすることが可能となる。
【００２８】
＜変形例２＞
例えば、図５に示す例では、基材シート１１の上面の長手方向（左右方向）中央部に、短手方向（前後方向）に長尺なシート部材１５が貼り付けられて設けられている。
このように、変形例２に係る清掃用シート１０によれば、基材シート１１の上面の長手方向中央部には、短手方向に長尺なシート部材１５が貼り付けられて設けられているので、使用者が剥離された基材シート１１を上面側から掴み取る際に、シート部材１５が折り目の役割を果たすため、基材シート１１を容易に掴み取ることができることとなって、清掃作業を容易にすることが可能となる。
【００２９】
＜変形例３＞
例えば、図６（Ａ）に示す例では、基材シート１１の上面の長手方向両端部（左端部及び右端部）、即ち、接着部材１３，１３が接着された部分に、長手方向中央側に開口を有するポケット部１６，１６が形成されている。そして、使用者は、図６（Ｂ）に示すように、ポケット部１６，１６の開口から手指を挿入し、折り畳むような形で基材シート１１を掴み取る。
このように、変形例３に係る清掃用シート１０によれば、基材シート１１の上面の長手方向両端部には、長手方向中央側から手指を挿入可能な開口を有するポケット部１６，１６が形成されているので、使用者が剥離された基材シート１１を上面側から掴み取る際に、基材シート１１を容易に掴み取ることができることとなって、清掃作業を容易にすることが可能となる。
なお、図６（Ｃ）に示すように、ポケット部１６の一方を裏返すことで形成された空間に、他方のポケット部１６が形成された端部を挿入することで、捕集したゴミを包んで処理することが可能となる。
【００３０】
＜変形例４＞
例えば、図７に示す例では、上下方向に積層された基材シート１１の各々の後端部に、タブ状の第１突出部１７が、上下方向に重ならないように設けられている。なお、図７では、第１突出部１７を基材シート１１の後端部に設ける構成を例示して説明したが、これに限定されるものではなく、例えば、基材シート１１の前端部に設けるようにしてもよいし、左端部や右端部に設けるようにしてもよい。
このように、変形例４に係る清掃用シート１０によれば、基材シート１１の各々の端部には、上下方向に重ならないように第１突出部１７が設けられているので、使用者は最下層に位置する第１突出部１７を足で床に押えた状態で掃除具２０を上方に引っ張ることで、最下層の基材シート１１を容易に剥離することができることとなって、清掃作業を容易にすることが可能となる。
【００３１】
また、上記実施形態では、最上層の基材シート１１の上面に粘着面１１ａを形成しているが、例えば、図８に示すように、粘着面１１ａを構成する粘着シート１１０、…を上下方向に複数重ね合わせた構成としてもよい。
このように、粘着面１１ａを複数枚の粘着シート１１０、…で構成することにより、最上層の粘着シート１１０の粘着力が弱まって、掃除具２０への貼着に不具合が生じたような場合に、最上層の粘着シート１１０を剥離することで、新たな粘着シート１１０を表出させることができることとなって、再度掃除具２０への貼着を行うことが可能となる。
なお、上記の構成によれば、図７に示した基材シート１１の第１突出部１７のように、粘着シート１１０、…の各々の端部に第２突出部１８を設ける（図８参照）ことで、使用者はこの第２突出部を上方に引っ張ることで最上層の粘着シート１１０を容易に剥離することができることとなって、掃除具２０への貼着作業を容易にすることが可能となる。
【符号の説明】
【００３２】
１０  清掃用シート
１１  基材シート
１１ａ  粘着面
１１０  粘着シート
１２  繊維集合体
１３  接着部材
１４  エンボス
１５  シート部材
１６  ポケット部
１７  第１突出部
１８  第２突出部
２０  掃除具
２１  柄
２２  ヘッド部
２２ａ  底面部
【図１】
0005879050.tif 000002
【図２】
0005879050.tif 000003
【図３】
0005879050.tif 000004
【図４】
0005879050.tif 000005
【図５】
0005879050.tif 000006
【図６】
0005879050.tif 000007
【図７】
0005879050.tif 000008
【図８】
0005879050.tif 000009